(57)【要約】【課題】放送チャンネルの追加サーチ終了時において、追加サーチされた放送チャンネルをユーザ選択に基づいて自由に登録できるようにする。【解決手段】テレビジョン放送受信装置１０は、放送信号を受信するチューナ１２、複数のチャンネル選局キー３２を備えたリモコン３０、チューナ１２で受信した放送信号の放送チャンネルをチャンネル選局キー３２に対応付けて『現在のチャンネルマップ』として記憶するメモリ２６を備える。テレビジョン放送受信装置１０は、追加サーチしたときに、受信できないチャンネル番号に対応する空きのチャンネル選局キー３２が識別可能なように『現在のチャンネルマップ』を表示すると共に、追加サーチにより新たに受信されたチャンネル番号の『追加チャンネルリスト』を表示部２０から表示し、ユーザからの選択指示に従って、『追加チャンネルリスト』の中からチャンネル番号を選択して空きのチャンネル選局キー３２に登録する。【選択図】図１
2007067648.tif 000002
【特許請求の範囲】
【請求項１】
テレビジョン放送信号を受信する受信手段と、複数のチャンネル選局キーを備えた操作入力手段と、前記受信手段で受信したテレビジョン放送信号の放送チャンネルを前記操作入力手段のチャンネル選局キーに対応付けてチャンネルマップとして記憶する記憶手段とを備えたテレビジョン放送受信装置において、前記受信手段により放送チャンネルを追加サーチしたときに、受信できない放送チャンネルに対応する前記操作入力手段のチャンネル選局キーが識別可能なように前記チャンネルマップを表示すると共に、前記追加サーチにより新たに受信された放送チャンネルの追加チャンネルリストを表示する表示手段と、前記チャンネルマップ上で識別可能に表示されたチャンネル選局キーのいずれかに割り当てる放送チャンネルを前記追加チャンネルリストの中から選択する放送チャンネル選択手段と、を備えていることを特徴とするテレビジョン放送受信装置。
【請求項２】
請求項１に記載のテレビジョン放送受信装置において、前記放送チャンネル選択手段は、ユーザからの選択指示に従って、前記追加チャンネルリストの中から放送チャンネルを選択することを特徴とするテレビジョン放送受信装置。
【請求項３】
請求項１又は２に記載のテレビジョン放送受信装置において、前記表示手段は、前記追加チャンネルリストから放送チャンネルが選択されると、該選択された放送チャンネルの映像を画面に表示することを特徴とするテレビジョン放送受信装置。
【請求項４】
請求項３に記載のテレビジョン放送受信装置において、前記放送チャンネルの映像が画面表示された状態で、前記チャンネルマップ上で識別可能に表示されたチャンネル選局キーのいずれかが選択されると、該選択されたチャンネル選局キーに前記放送チャンネルを割り当てて前記記憶手段に登録することを特徴とするテレビジョン放送受信装置。
【請求項５】
請求項４に記載のテレビジョン放送受信装置において、前記表示手段は、前記チャンネルマップ上で識別可能に表示されたチャンネル選局キーのいずれかが選択され、該選択されたチャンネル選局キーに前記放送チャンネルが登録されると、前記追加チャンネルリスト上の前記放送チャンネルの表示形態を識別可能に変更することを特徴とするテレビジョン放送受信装置。
【請求項６】
請求項４に記載のテレビジョン放送受信装置において、前記表示手段は、前記チャンネルマップ上で識別可能に表示されたチャンネル選局キーのいずれかが選択され、該選択されたチャンネル選局キーに前記放送チャンネルが登録されると、前記追加チャンネルリスト上に前記放送チャンネルを表示しないことを特徴とするテレビジョン放送受信装置。
【請求項７】
請求項４に記載のテレビジョン放送受信装置において、前記表示手段は、前記チャンネルマップ上で識別可能に表示されたチャンネル選局キーのいずれかが選択され、該選択されたチャンネル選局キーに前記放送チャンネルが登録されると、該選択されたチャンネル選局キーの表示形態を、前記識別可能に表示された他のチャンネル選局キーの表示形態と異なるように変更することを特徴とするテレビジョン放送受信装置。
【請求項８】
請求項１乃至７のいずれか１に記載のテレビジョン放送受信装置において、前記追加チャンネルリストに含まれる放送チャンネルの数は、前記チャンネルマップ上で識別可能に表示されたチャンネル選局キーの数よりも多いことを特徴とするテレビジョン放送受信装置。
【請求項９】
請求項１乃至８のいずれか１に記載のテレビジョン放送受信装置において、前記操作入力手段は、前記テレビジョン放送受信装置を遠隔操作可能なリモートコントロール装置であることを特徴とするテレビジョン放送受信装置。
【請求項１０】
テレビジョン放送信号を受信する受信手段と、複数のチャンネル選局キーを備えた操作入力手段と、前記受信手段で受信したテレビジョン放送信号の放送チャンネルを前記操作入力手段のチャンネル選局キーに対応付けてチャンネルマップとして記憶する記憶手段とを備えたテレビジョン放送受信装置の放送チャンネル追加サーチ方法において、前記受信手段により放送チャンネルを追加サーチしたときに、受信できない放送チャンネルに対応する前記操作入力手段のチャンネル選局キーが識別可能なように前記チャンネルマップを表示すると共に、前記追加サーチにより新たに受信された放送チャンネルの追加チャンネルリストを表示するステップと、前記チャンネルマップ上で識別可能に表示されたチャンネル選局キーのいずれかに割り当てる放送チャンネルを、ユーザからの選択指示に従って、前記追加チャンネルリストの中から選択するステップと、を有することを特徴とする放送チャンネル追加サーチ方法。
【発明の詳細な説明】
【技術分野】
【０００１】
本発明は、テレビジョン放送受信装置及び放送チャンネル追加サーチ方法、より詳細には、追加サーチで見つかった放送チャンネルを、ユーザにより自由に登録可能としたテレビジョン放送受信装置及び該装置の放送チャンネル追加サーチ方法に関する。
【背景技術】
【０００２】
ＢＳデジタル放送、ＣＳデジタル放送、及び地上波デジタル放送などのデジタル放送の普及に伴って、新しい放送チャンネルがますます増加していく傾向にある。このような新しい放送チャンネルを登録するために、放送チャンネルの追加サーチ機能を備えたテレビジョン放送受信装置が知られている。従来のテレビジョン放送受信装置では、追加サーチ終了時に、画面上に、リモコンが備えるチャンネル選局キー（リモコン番号）と、対応する放送チャンネル（チャンネル番号）の一覧が表示され、追加サーチで受信できなかった放送チャンネルの表示位置（すなわち、リモコンのチャンネル選局キー）に、新しく見つかった放送チャンネル（チャンネル番号）を若い順から自動的に登録している。
【０００３】
従来の追加サーチ処理に関して、例えば、特許文献１には、以前行われたチャンネル初期設定時に記憶されたチャンネルマップに放送信号有りとして登録されたチャンネル以外のチャンネルについてのみ放送信号の有無の判別をおこなって、新規に放送信号を検出したチャンネル情報を、上記チャンネルマップに放送信号有りとして追加登録する受信装置が開示されている。
【０００４】
また、例えば、特許文献２には、ユーザによって新規データの追加、修正を行うことができるようにした受信装置が開示されている。これは、複数の受信チャンネルを対応する受信周波数を記憶するメモリと、その受信周波数に同調する電波を受信する受信部と、メモリ及び受信部を制御する制御手段とを備え、制御手段によりメモリから所定の順序に従って各受信チャンネルの受信周波数を読み出して受信部を動作させる受信装置において、メモリは、受信周波数が固定的に書き込まれるＲＯＭと、受信周波数が書き換え可能に書き込まれるＲＡＭとを有し、受信周波数データをＲＡＭに追加的に登録できるようにしたものである。
【特許文献１】特開２００４−３２０３９７号公報
【特許文献２】特開平６−９０１３９号公報
【発明の開示】
【発明が解決しようとする課題】
【０００５】
しかしながら、前述したテレビジョン放送受信装置において、追加できる放送チャンネルが多数見つかった場合でも、見つかった放送チャンネルの若い順から、リモコンの空きポジション（空きチャンネル選局キー）の数分だけしか登録されず、他の見つかった放送チャンネルをユーザが選択して自由に登録することができなかった。このことは、上記特許文献１及び２に記載の発明でも解決することはできない。
【０００６】
本発明は、上述のごとき実情に鑑みてなされたものであり、放送チャンネルの追加サーチ終了時において、追加サーチされた放送チャンネルをユーザの選択に基づいて自由に登録可能とし、さらに、放送チャンネルの選択時にその放送チャンネルの映像を画面表示できるようにしたテレビジョン放送受信装置及び該装置の放送チャンネル追加サーチ方法を提供すること、を目的とする。
【課題を解決するための手段】
【０００７】
上記課題を解決するために、本発明の第１の技術手段は、テレビジョン放送信号を受信する受信手段と、複数のチャンネル選局キーを備えた操作入力手段と、前記受信手段で受信したテレビジョン放送信号の放送チャンネルを前記操作入力手段のチャンネル選局キーに対応付けてチャンネルマップとして記憶する記憶手段とを備えたテレビジョン放送受信装置において、前記受信手段により放送チャンネルを追加サーチしたときに、受信できない放送チャンネルに対応する前記操作入力手段のチャンネル選局キーが識別可能なように前記チャンネルマップを表示すると共に、前記追加サーチにより新たに受信された放送チャンネルの追加チャンネルリストを表示する表示手段と、前記チャンネルマップ上で識別可能に表示されたチャンネル選局キーのいずれかに割り当てる放送チャンネルを前記追加チャンネルリストの中から選択する放送チャンネル選択手段と、を備えていることを特徴としたものである。
【０００８】
第２の技術手段は、第１の技術手段において、前記放送チャンネル選択手段は、ユーザからの選択指示に従って、前記追加チャンネルリストの中から放送チャンネルを選択することを特徴としたものである。
【０００９】
第３の技術手段は、第１又は第２の技術手段において、前記表示手段は、前記追加チャンネルリストから放送チャンネルが選択されると、該選択された放送チャンネルの映像を画面に表示することを特徴としたものである。
【００１０】
第４の技術手段は、第３の技術手段において、前記放送チャンネルの映像が画面表示された状態で、前記チャンネルマップ上で識別可能に表示されたチャンネル選局キーのいずれかが選択されると、該選択されたチャンネル選局キーに前記放送チャンネルを割り当てて前記記憶手段に登録することを特徴としたものである。
【００１１】
第５の技術手段は、第４の技術手段において、前記表示手段は、前記チャンネルマップ上で識別可能に表示されたチャンネル選局キーのいずれかが選択され、該選択されたチャンネル選局キーに前記放送チャンネルが登録されると、前記追加チャンネルリスト上の前記放送チャンネルの表示形態を識別可能に変更することを特徴としたものである。
【００１２】
第６の技術手段は、第４の技術手段において、前記表示手段は、前記チャンネルマップ上で識別可能に表示されたチャンネル選局キーのいずれかが選択され、該選択されたチャンネル選局キーに前記放送チャンネルが登録されると、前記追加チャンネルリスト上に前記放送チャンネルを表示しないことを特徴としたものである。
【００１３】
第７の技術手段は、第４の技術手段において、前記表示手段は、前記チャンネルマップ上で識別可能に表示されたチャンネル選局キーのいずれかが選択され、該選択されたチャンネル選局キーに前記放送チャンネルが登録されると、該選択されたチャンネル選局キーの表示形態を、前記識別可能に表示された他のチャンネル選局キーの表示形態と異なるように変更することを特徴としたものである。
【００１４】
第８の技術手段は、第１乃至第７のいずれか１の技術手段において、前記追加チャンネルリストに含まれる放送チャンネルの数は、前記チャンネルマップ上で識別可能に表示されたチャンネル選局キーの数よりも多いことを特徴としたものである。
【００１５】
第９の技術手段は、第１乃至第８のいずれか１の技術手段において、前記操作入力手段は、前記テレビジョン放送受信装置を遠隔操作可能なリモートコントロール装置であることを特徴としたものである。
【００１６】
第１０の技術手段は、テレビジョン放送信号を受信する受信手段と、複数のチャンネル選局キーを備えた操作入力手段と、前記受信手段で受信したテレビジョン放送信号の放送チャンネルを前記操作入力手段のチャンネル選局キーに対応付けてチャンネルマップとして記憶する記憶手段とを備えたテレビジョン放送受信装置の放送チャンネル追加サーチ方法において、前記受信手段により放送チャンネルを追加サーチしたときに、受信できない放送チャンネルに対応する前記操作入力手段のチャンネル選局キーが識別可能なように前記チャンネルマップを表示すると共に、前記追加サーチにより新たに受信された放送チャンネルの追加チャンネルリストを表示するステップと、前記チャンネルマップ上で識別可能に表示されたチャンネル選局キーのいずれかに割り当てる放送チャンネルを、ユーザからの選択指示に従って、前記追加チャンネルリストの中から選択するステップと、を有することを特徴としたものである。
【発明の効果】
【００１７】
本発明によれば、放送チャンネルの追加サーチ終了時において、追加サーチされた放送チャンネルをユーザの選択に基づいて自由に登録できるため、放送チャンネルの登録の自由度が広がり、さらに、放送チャンネルの選択時にその放送チャンネルの映像を画面表示できるため、ユーザは所望の放送チャンネルの追加登録をより簡単に行うことができる。
【発明を実施するための最良の形態】
【００１８】
図１は、本発明の一実施形態に係るテレビジョン放送受信装置の構成例を示すブロック図で、図中、１０はテレビジョン放送受信装置で、該テレビジョン放送受信装置１０は、アンテナ１１、チューナ１２、インタフェース（Ｉ／Ｆ）１３、外部入力部１４、ＡＶセレクタ１５、Ｙ／Ｃ分離部１６、デコーダ１７、ＲＧＢプロセッサ１８、合成部１９、表示部２０、音声アンプ２１、スピーカ２２、受光部２３、演算部２４、ＯＳＤ表示処理部２５、及びメモリ２６を備えている。これらのアンテナ１１、チューナ１２、インタフェース（Ｉ／Ｆ）１３、外部入力部１４、ＡＶセレクタ１５、Ｙ／Ｃ分離部１６、デコーダ１７、ＲＧＢプロセッサ１８、合成部１９、表示部２０、音声アンプ２１、スピーカ２２、受光部２３、演算部２４、ＯＳＤ表示処理部２５、及びメモリ２６は、図示しないシステムバスを介して相互に接続され、ＣＰＵ等を備える演算部２４により各部の動作が制御される。
【００１９】
また、図中、３０は操作入力手段（以下、リモコン）で、該リモコン３０は、メニューキー３１、１〜１２の番号が割り当てられたチャンネル選局キー３２、カーソルキー３３、及び決定キー３４を備えている。リモコン３０から送信される操作信号は、テレビジョン放送受信装置１０の受光部２３で受光される。テレビジョン放送受信装置１０は、リモコン３０からの操作信号を受信し、その操作信号に応じた機能を実行する。
【００２０】
図１において、チューナ１２は、アンテナ１１を介してテレビジョン放送信号を受信する手段であって、アナログ放送用のチューナ、あるいは、デジタル放送用のチューナであってもよい。また、アナログ放送用及びデジタル放送用の両方のチューナを備える構成としてもよい。Ｉ／Ｆ１３は、チューナ１２からのテレビジョン放送信号を映像信号と音声信号に分離してＡＶセレクタ１５に入力する。外部入力部１４は、外部接続される図示しない記録再生装置（チューナ内蔵レコーダなど）と接続し、記録再生装置が備えるチューナからのテレビジョン放送信号を入力するための端子である。外部入力部１４からのテレビジョン放送信号はＡＶセレクタ１５に入力される。
【００２１】
ＡＶセレクタ１５は、チューナ１２（Ｉ／Ｆ１３）からの入力（テレビジョン放送信号）と、外部入力部１４からの入力（テレビジョン放送信号）のいずれかの入力を選択的に切り替えて、テレビジョン放送信号の映像信号をＹ／Ｃ分離部１６に入力し、音声信号を音声アンプ２１に入力する。Ｙ／Ｃ分離部１６は、ＡＶセレクタ１５から入力された映像信号をＹ（輝度）成分とＣ（クロマ）成分に分離してデコーダ１７に入力する。音声アンプ２１は、ＡＶセレクタ１５から入力された音声信号を増幅させてスピーカ２２から音声出力させる。
【００２２】
デコーダ１７は、Ｙ／Ｃ分離部１６から入力されるＹ／Ｃ分離された映像信号を復号する手段である。ＲＧＢプロセッサ１８は、デコーダ１７で復号された映像信号にＩＰ（インターレース・プログレッシブ）変換処理等の映像処理を施すための手段である。ＯＳＤ表示処理部２５は、各種のＯＳＤ情報を生成するための手段である。合成部１９は、ＯＳＤ表示処理部２５で生成したＯＳＤ情報をＲＧＢプロセッサ１８で映像処理された映像信号に重畳させる処理を行う。
【００２３】
表示部２０は、合成部１９から入力される映像信号とＯＳＤ情報を表示するＬＣＤ（Ｌｉｑｕｉｄ  Ｃｒｙｓｔａｌ  Ｄｉｓｐｌａｙ：液晶ディスプレイ）などの表示手段である。演算部２４は、テレビジョン放送受信装置１０を構成する各部を制御するためのＣＰＵなどを備えるマイクロコンピュータである。受光部２３は、リモコン３０からの操作信号（赤外線信号）を受光し、その操作信号を演算部２４に入力する。
【００２４】
メモリ２６は、半導体メモリなどの記憶媒体であって、チューナ１２あるいは外部入力部１４から入力されるテレビジョン放送信号の放送チャンネル（以下、チャンネル番号という）を、リモコン３０のチャンネル選局キー３２に対応付けてチャンネルマップとして記憶する。『現在のチャンネルマップ』２６ａは、チャンネル番号を追加サーチした結果のチャンネルマップであって、例えば、リモコン３０のチャンネル選局キー３２に１〜１２の数字（これをリモコン番号という）が予め割り当てられている場合、チャンネル番号を追加サーチした結果、このリモコン番号１〜１２に対してチャンネル番号１，空き，１２，…，空きが順に対応付けられたものである。本例の『現在のチャンネルマップ』２６ａにおいては、若い順に２，７，１２の３つのリモコン番号が、対応するチャンネル番号のない“空き“の状態であることを示す。
【００２５】
ここで、上記チャンネル番号の“空き”とは、追加サーチしたときに、以前にチャンネル選局キー３２（リモコン番号１〜１２）に割り当てられていた放送チャンネルが受信されなかったことを意味し、上記のように、“空き”のリモコン番号２，７，１２は、追加サーチにより新たに受信されたチャンネル番号を割り当て可能なリモコン番号として判断される。
【００２６】
上記において、リモコン３０を操作するユーザが、例えば、チャンネル選局キー３２のリモコン番号１を選択すると、リモコン番号１に応じたチャンネル番号１の選局情報がテレビジョン放送受信装置１０に送信される。テレビジョン放送受信装置１０は、チャンネル番号１に応じたテレビジョン放送信号を受信して、その映像情報を表示部２０から表示させ、音声情報をスピーカ２２から出力させる。
【００２７】
また、メモリ２６には、チャンネル番号の追加サーチを行ったときに、追加サーチされたチャンネル番号のリストも一時的に記憶される。これを『追加チャンネルリスト』２６ｂとし、この『追加チャンネルリスト』２６ｂが本発明の追加チャンネルリストに相当する。本例の『追加チャンネルリスト』２６ｂは、チャンネル番号７，１３，２０，５１の４つが追加サーチされた状態を示す。
【００２８】
図１において、表示部２０は、追加サーチしたときに、受信できないチャンネル番号に対応するリモコン３０のチャンネル選局キー３２（リモコン番号１〜１２）が識別可能なように、『現在のチャンネルマップ』２６ａを表示すると共に、追加サーチにより新たに受信された放送チャンネルの『追加チャンネルリスト』２６ｂを表示する。『現在のチャンネルマップ』２６ａと『追加チャンネルリスト』２６ｂの表示状態を後述の図３に示す。『現在のチャンネルマップ』２６ａと『追加チャンネルリスト』２６ｂの画面（ＯＳＤ）情報は、演算部２４からの制御に基づいて、ＯＳＤ表示処理部２５で生成され、生成されたＯＳＤ情報は合成部１９で映像信号に重畳されて、表示部２０から表示出力される。
【００２９】
ここで、図３に示すように、『現在のチャンネルマップ』２６ａは、追加サーチによって受信できないチャンネル番号に対応するリモコン番号１〜１２が識別可能なように表示される。例えば、図１において、チャンネル番号が“空き”になっているリモコン番号２，７，１２のポジションが他のポジションと異なる色に色付け処理等されて、ユーザが見てどのポジションが空いているのかがわかるような状態で表示される。また、『追加チャンネルリスト』２６ｂには、追加サーチによって新たに受信されたチャンネル番号７，１３，２０，５１が、ユーザが見てわかるような状態で表示される。なお、識別可能な表示形態としては、上記色付け処理のほかに、太字化、斜体化、下線引きなどの各種の表示加工処理を行うようにしてもよい。
【００３０】
テレビジョン放送受信装置１０は、『現在のチャンネルマップ』２６ａ上で識別可能に表示されたリモコン番号２，７，１２のいずれかに割り当てる放送チャンネルを、『追加チャンネルリスト』２６ｂに含まれるチャンネル番号７，１３，２０，５１の中から選択する放送チャンネル選択手段を備える。この放送チャンネル選択手段は、リモコン３０及び演算部２４によって実現される。例えば、ユーザがリモコン３０のカーソルキー３３を操作して『追加チャンネルリスト』２６ｂ上の所望のチャンネル番号（例えば、チャンネル番号１３）を選択する。
【００３１】
次に、操作対象を『現在のチャンネルマップ』２６ａに切り替えて、ユーザがリモコン３０のカーソルキー３３を操作して『現在のチャンネルマップ』２６ａ上の所望のリモコン番号（例えば、リモコン番号７）を選択する。さらに、ユーザがリモコン３０の決定キー３４を押下すると、追加サーチされたチャンネル番号１３がリモコン番号７に割り当てられ、その結果、『現在のチャンネルマップ』２６ａは更新されてメモリ２６に登録される。
【００３２】
従来、追加できる放送チャンネルが多数見つかった場合でも、見つかった放送チャンネルの若い順から、リモコンの空きポジション（空きリモコン番号）の数分だけしか登録されず、他の見つかった放送チャンネルをユーザが選択して自由に登録することができなかった。これに対して、本発明のように、追加できるチャンネル番号の数が、リモコンの空きポジションの数よりも多く見つかった場合でも、ユーザは所望のチャンネル番号を自由に選択して空いているポジションのいずれかに登録することができるため、チャンネル追加登録時における自由度を向上させることができる。なお、リモコン番号が複数空いている場合には、ユーザが選択したチャンネル番号を、リモコン番号の昇順（あるいは、降順）に自動的に登録するようにしてもよい。
【００３３】
また、表示部２０は、『追加チャンネルリスト』２６ｂからチャンネル番号（例えば、チャンネル番号１３）が選択されると、選択されたチャンネル番号の映像を画面に表示するようにしてもよい。例えば、後述の図４に示すように、『現在のチャンネルマップ』２６ａと『追加チャンネルリスト』２６ｂの背景に映像を表示させる。これにより、ユーザは、追加登録しようとしている放送チャンネルがどのような番組を放送しているのか容易に把握することができるため、放送チャンネルの追加登録をより行い易くなる。
【００３４】
上記のように、表示部２０の画面上にチャンネル番号の映像が表示された状態で、『現在のチャンネルマップ』２６ａ上で識別可能に表示されたリモコン番号２，７，１２のいずれかが選択されると、選択されたリモコン番号（例えばリモコン番号７）にチャンネル番号１３が割り当てられ、その結果、『現在のチャンネルマップ』２６ａは更新されてメモリ２６に登録される。
【００３５】
また、表示部２０は、『現在のチャンネルマップ』２６ａ上で識別可能に表示されたリモコン番号のいずれかが選択され、選択されたリモコン番号にチャンネル番号が登録されると、『追加チャンネルリスト』２６ｂ上の該当チャンネル番号の表示形態を識別可能に変更してもよい（後述の図５参照）。あるいは、『追加チャンネルリスト』２６ｂ上に該当チャンネル番号を表示しない（すなわち、削除する）ようにしてもよい。これにより、ユーザは、追加登録されたチャンネル番号を認識できるため、チャンネル番号を追加登録する処理を繰り返し行う場合でも、どのチャンネル番号を登録したのか、あるいは、まだ登録していないチャンネル番号はどれかを迅速に把握することができ、処理をスムーズに行うことができる。
【００３６】
また、後述の図５に示すように、表示部２０は、『現在のチャンネルマップ』２６ａ上で識別可能に表示されたリモコン番号のいずれかが選択され、選択されたリモコン番号にチャンネル番号が登録されると、選択されたリモコン番号の表示形態を、上記識別可能に表示された他のリモコン番号の表示形態と異なるように変更（例えば、表示色の変更など）するようにしてもよい。これにより、ユーザは、チャンネル番号が追加登録されたリモコン番号を認識できるため、チャンネル番号を追加登録する処理を繰り返し行う場合でも、どのリモコン番号にチャンネル番号が登録され、あるいは、空いているリモコン番号がどれかを迅速に把握することができ、処理をスムーズに行うことができる。なお、表示部２０に表示される画面情報は、ＯＳＤ表示処理部２５からの指示に基づいて制御されるものとする。
【００３７】
図２は、図１に示したテレビジョン放送受信装置１０の放送チャンネル追加サーチ方法の一例を説明するためのフロー図である。図３は、追加サーチ結果である『現在のチャンネルマップ』２６ａと『追加チャンネルリスト』２６ｂの画面表示例を示す図で、パターンＡは『現在のチャンネルマップ』２６ａにおける空きリモコン番号、パターンＢは『追加チャンネルリスト』２６ｂにおいて追加登録可能なチャンネル番号を示す。図４は、追加チャンネル選択時の『現在のチャンネルマップ』２６ａと『追加チャンネルリスト』２６ｂの画面表示例を示す図で、パターンＣは『追加チャンネルリスト』２６ｂから選択されたチャンネル番号を示す。図５は、追加チャンネル登録時の『現在のチャンネルマップ』２６ａと『追加チャンネルリスト』２６ｂの画面表示例を示す図で、パターンＤは『現在のチャンネルマップ』２６ａにおいてチャンネルが追加登録されたリモコン番号を示す。
【００３８】
図２において、まず、テレビジョン放送受信装置１０は、ユーザによりリモコン３０のメニューキー３１が押下され、メニューを表示させるかどうかを判断し（ステップＳ１）、メニュー表示させると判断された場合（ＹＥＳの場合）、メニューを表示させ、該メニューに含まれるチャンネル追加設定（追加サーチ）が選択されたかどうかを判断する（ステップＳ２）。また、上記ステップＳ１において、メニュー表示させない場合（ＮＯの場合）、ステップＳ１で待機状態に移行する。
【００３９】
次に、テレビジョン放送受信装置１０は、上記ステップＳ２において、チャンネル追加設定が選択されたと判断された場合（ＹＥＳの場合）、チャンネル追加設定（追加サーチ）処理を行う。また、上記ステップＳ２において、チャンネル追加設定が選択されない場合（ＮＯの場合）、ステップＳ２で待機状態に移行する。
【００４０】
次に、テレビジョン放送受信装置１０は、チャンネル追加設定処理として、空きリモコン番号の特定と、追加チャンネルのサーチを実行し（ステップＳ３）、その結果として、図３に示すように、『現在のチャンネルマップ』２６ａと『追加チャンネルリスト』２６ｂを表示部２０から表示出力する（ステップＳ４）。
【００４１】
図３に示す『現在のチャンネルマップ』２６ａにおいて、追加サーチの結果、リモコン番号２，７，１２は放送チャンネルが受信できない空き番号であることを示す。また、『追加チャンネルリスト』２６ｂにおいて、７，１３，２０，５１チャンネルが追加登録可能なチャンネル番号であることを示す。このように、空いているリモコン番号の数よりも、追加サーチされたチャンネル番号の数のほうが多いため、ユーザ指示に従って、所望のチャンネル番号を選択して、空いているリモコン番号に登録する処理を行う。
【００４２】
テレビジョン放送受信装置１０は、図３に示す『追加チャンネルリスト』２６ｂの中から、ユーザによる追加チャンネルの選択指示があったかどうかを判断し（ステップＳ５）、追加チャンネルの選択指示（ここではチャンネル番号１３）があった場合（ＹＥＳの場合）、図４に示すように、チャンネル番号１３のポジションが選択されたことがわかるように表示形態（例えば、表示色など）が変更され、さらに、『現在のチャンネルマップ』２６ａと『追加チャンネルリスト』２６ｂの背景に、チャンネル番号１３の映像を表示する（ステップＳ６）。また、上記ステップＳ５において、追加チャンネルの選択指示がない場合（ＮＯの場合）、ステップＳ５で追加チャンネルの選択指示があるまで待機する。
【００４３】
次に、テレビジョン放送受信装置１０は、図４に示すように、チャンネル番号１３の映像が表示された状態で、『現在のチャンネルマップ』２６ａの中から、空きリモコン番号の選択指示があったかどうかを判断し（ステップＳ７）、空きリモコン番号の選択指示（ここではリモコン番号７）があった場合（ＹＥＳの場合）、空きリモコン番号（リモコン番号７）へのチャンネル番号（チャンネル番号１３）の追加処理を行う（ステップＳ８）。また、上記ステップＳ７において、空きリモコン番号の選択指示がない場合（ＮＯの場合）、ステップＳ７で空きリモコン番号の選択指示があるまで待機する。
【００４４】
次に、テレビジョン放送受信装置１０は、図５に示すように、『追加チャンネルリスト』２６ｂの追加済みチャンネル（チャンネル番号１３）をグレーダウンするか、あるいは、追加済みチャンネル（チャンネル番号１３）を『追加チャンネルリスト』２６ｂから削除する処理を行う（ステップＳ９）。
【００４５】
次に、テレビジョン放送受信装置１０は、図５に示すように、『現在のチャンネルマップ』２６ａに対して、チャンネル追加されたリモコン番号（リモコン番号７）の表示色を変更する処理を行う（ステップＳ１０）。これにより、ユーザは、リモコン３０のどのポジションにチャンネル登録されたのかを一見して把握することができる。
【００４６】
最後に、テレビジョン放送受信装置１０は、チャンネル追加設定処理を終了するかどうかを判断し（ステップＳ１１）、チャンネル追加設定処理を終了する場合（ＹＥＳの場合）、そのまま終了し、一方、チャンネル追加設定処理を終了しない場合（ＮＯの場合）、ステップＳ５に戻り処理を繰り返す。
【００４７】
以上に説明したように、本発明によれば、放送チャンネルの追加サーチ終了時において、追加サーチされた放送チャンネルをユーザの選択に基づいて自由に登録できるため、放送チャンネルの登録の自由度が広がり、さらに、放送チャンネルの選択時にその放送チャンネルの映像を画面表示できるため、ユーザは所望の放送チャンネルの追加登録をより簡単に行うことができる。
【図面の簡単な説明】
【００４８】
【図１】本発明の一実施形態に係るテレビジョン放送受信装置の構成例を示すブロック図である。
【図２】図１に示したテレビジョン放送受信装置の放送チャンネル追加サーチ方法の一例を説明するためのフロー図である。
【図３】追加サーチ結果である『現在のチャンネルマップ』と『追加チャンネルリスト』の画面表示例を示す図である。
【図４】追加チャンネル選択時の『現在のチャンネルマップ』と『追加チャンネルリスト』の画面表示例を示す図である。
【図５】追加チャンネル登録時の『現在のチャンネルマップ』と『追加チャンネルリスト』の画面表示例を示す図である。
【符号の説明】
【００４９】
１０…テレビジョン放送受信装置、１１…アンテナ、１２…チューナ、１３…Ｉ／Ｆ、１４…外部入力部、１５…ＡＶセレクタ、１６…Ｙ／Ｃ分離部、１７…デコーダ、１８…ＲＧＢプロセッサ、１９…合成部、２０…表示部、２１…音声アンプ、２２…スピーカ、２３…受光部、２４…演算部、２５…ＯＳＤ表示処理部、２６…メモリ、２６ａ…現在のチャンネルマップ、２６ｂ…追加チャンネルリスト、３０…操作入力手段（リモコン）、３１…メニューキー、３２…チャンネル選局キー、３３…カーソルキー、３４…決定キー。
【図１】
2007067648.tif 000003
【図２】
2007067648.tif 000004
【図３】
2007067648.tif 000005
【図４】
2007067648.tif 000006
【図５】
2007067648.tif 000007